(57)【要約】      （修正有）【課題】簡単な構造で、安価に製作でき、操作性が確実な建物の開口部に設けられる引戸の施錠装置を提供する。【解決手段】施錠機構と、施錠機構を操作する施錠操作機構と、戸本体を開施錠する施錠杆７よりなり、上記施錠機構は、施錠操作機構の操作に伴って回動する駆動用クランク部材５と、駆動用クランク部材５の回動運動を上下運動に変換する作動変換部材を有し、作動変換部材は、錠箱２内で昇降自在に保持されると共に施錠杆７が連結される昇降部材６０と、駆動用クランク部材５に下端部が回動自在に連結され、昇降部材６０に上端部が回動自在に連結される昇降用リンク部材５０と、一端が駆動用クランク部材５に連結され、他端が錠箱２に回動自在に保持された付勢部材８より構成され、付勢部材８は、施錠杆７が開施錠の何れかの方向に移動するよう駆動用クランク部材５に回動力を付与しているものである。【選択図】図４
2009275343.tif 000002
【特許請求の範囲】
【請求項１】
戸本体に組み込まれた施錠機構と、施錠機構を操作する施錠操作機構と、施錠操作機構の操作に伴って施錠機構に連動し、戸本体を開施錠する施錠杆よりなり、上記施錠機構は、施錠操作機構の操作に伴って回動する駆動用クランク部材と、駆動用クランク部材の回動運動を上下運動に変換する作動変換部材を有し、作動変換部材と駆動用クランク部材は、戸本体内に取付られる錠箱内に組み込まれ、作動変換部材は、錠箱内で昇降自在に保持されると共に施錠杆が連結される昇降部材と、駆動用クランク部材に下端部が回動自在に連結され、昇降部材に上端部が回動自在に連結される昇降用リンク部材と、一端が駆動用クランク部材あるいは昇降用リンク部材に連結され、他端が錠箱に回動自在に保持された付勢部材より構成され、付勢部材は、駆動用クランク部材が所定位置まで回動すると、施錠杆が開施錠の何れかの方向に移動するよう駆動用クランク部材に回動力を付与していることを特徴とする施錠装置。
【請求項２】
昇降部材は、錠箱内に内接する厚みを有し、昇降用リンク部材が連結される側壁に上下方向に所定長さの嵌合孔が形成され、該嵌合孔に錠箱に形成された嵌入突片が嵌入して、昇降自在に保持され、錠箱から突出する側壁の前端部に、施錠杆が連結される施錠杆連結部が形成されていることを特徴とする請求項１に記載の施錠装置。
【発明の詳細な説明】
【技術分野】
【０００１】
本発明は、建物の開口部に設けられる引戸の施錠装置に関するものである。
【背景技術】
【０００２】
従来、上記施錠装置は、戸本体に組み込まれたロック機構と、ロック機構を操作する錠機構よりなり、ロック機構は、錠機構により回動されるカムと、カムの突起に係合する切欠を有する進退部材からなっている。そして、進退部材に連結棒が連結され、この連結棒が建物の係合孔に係脱するロックピンに連結している。（例えば、特許文献１参照。）
そして、カムの突起は切欠に係合しているだけであるから、操作に確実性が乏しくなり、確実性を向上させるために、カムの突起が切欠に係合した状態から逸脱しないよう、カムの回転中心と同心の弧状孔をカムに形成し、カムの回転範囲を限定する必要があり、そのため、構造が複雑になり、高価となる欠点があった。
【０００３】
【特許文献１】特開平２−４７４７９号公報
【発明の開示】
【発明が解決しようとする課題】
【０００４】
本発明は、従来の問題点に鑑みて、簡単な構造で、操作性に優れた施錠装置を提供することを課題とする。
【課題を解決するための手段】
【０００５】
そこで、上記課題を解決する為、本発明が第１の手段として構成したところは、戸本体に組み込まれた施錠機構と、施錠機構を操作する施錠操作機構と、施錠操作機構の操作に伴って施錠機構に連動し、戸本体を開施錠する施錠杆よりなり、上記施錠機構は、施錠操作機構の操作に伴って回動する駆動用クランク部材と、駆動用クランク部材の回動運動を上下運動に変換する作動変換部材を有し、作動変換部材と駆動用クランク部材は、戸本体内に取付られる錠箱内に組み込まれ、作動変換部材は、錠箱内で昇降自在に保持されると共に施錠杆が連結される昇降部材と、駆動用クランク部材に下端部が回動自在に連結され、昇降部材に上端部が回動自在に連結される昇降用リンク部材と、一端が駆動用クランク部材あるいは昇降用リンク部材に連結され、他端が錠箱に回動自在に保持された付勢部材より構成され、付勢部材は、駆動用クランク部材が所定位置まで回動すると、施錠杆が開施錠の何れかの方向に移動するよう駆動用クランク部材に回動力を付与しているものである。
【０００６】
次に上記課題を解決するため本発明が手段とする第２の特徴は、上記第１の特徴に加え、
昇降部材は、錠箱内に内接する厚みを有し、昇降用リンク部材が連結される側壁に上下方向に所定長さの嵌合孔が形成され、該嵌合孔に錠箱に形成された嵌入突片が嵌入して、昇降自在に保持され、錠箱から突出する側壁の前端部に、施錠杆が連結される施錠杆連結部が形成されているものである。
【発明の効果】
【０００７】
請求項１に記載の発明によると、付勢部材は、駆動用クランク部材が所定位置まで回動すると、施錠杆が開施錠の何れかの方向に移動するよう駆動用クランク部材に回動力を付与しているので、駆動用クランク部材の回動が開施錠の途中で停止する恐れが一切なく、施錠杆の確実な開施錠が計れる。
【０００８】
請求項２に記載の発明によると、昇降部材は、錠箱内に内接する厚みを有し、昇降用リンク部材が連結される側壁に上下方向に所定長さの嵌合孔が形成され、該嵌合孔に錠箱に形成された嵌入突片が嵌入しているので、施錠杆が連結された状態であっても、昇降部材は昇降自在に錠箱内で確実に保持される。
【発明を実施するための最良の形態】
【０００９】
戸本体に組み込まれた施錠機構と、施錠機構を操作する施錠操作機構と、施錠操作機構の操作に伴って施錠機構に連動し、戸本体を開施錠する施錠杆よりなり、上記施錠機構は、施錠操作機構の操作に伴って回動する駆動用クランク部材と、駆動用クランク部材の回動運動を上下運動に変換する作動変換部材を有し、作動変換部材と駆動用クランク部材は、戸本体内に取付られる錠箱内に組み込まれ、作動変換部材は、錠箱内で昇降自在に保持されると共に施錠杆が連結される昇降部材と、駆動用クランク部材に下端部が回動自在に連結され、昇降部材に上端部が回動自在に連結された昇降用リンク部材と、下端部が駆動用クランク部材あるいは昇降用リンク部材に連結され、上部が錠箱に回動自在に保持された付勢部材より構成され、付勢部材は、駆動用クランク部材が所定位置まで回動すると、施錠杆が開施錠の何れかの方向に移動するよう駆動用クランク部材に回動力を付与し、昇降部材は、錠箱内に内接する厚みを有し、昇降用リンク部材が連結される側壁に上下方向に所定長さの嵌合孔が形成され、該嵌合孔に錠箱に形成された嵌入突片が嵌入して、昇降自在に保持され、錠箱から突出する側壁の前端部に、施錠杆が連結される施錠杆連結部が形成されているものである。
【実施例】
【００１０】
以下、実施例を添付図面に基づいて詳述する。
図１において、符号１は戸本体を示し、符号２は戸本体１の戸先側内部に連結される錠箱を示し、符号３は錠箱２内に組み込まれた施錠機構を示し、符号４（図７に示す。）は、施錠機構３を操作する施錠操作機構を示している。
【００１１】
戸本体１は、室内側と室外側に所定間隔を有して対向して配設された室内側表面版１１と、室外側表面版１２と、室内側表面板１１と室外側表面版１２間の戸先側端部内に設けられた戸先側が開口する横断面略コ字形の前補強材１３と、前補強材の戸尻側で、前記施錠操作機構４が位置する箇所に設けられた戸先側が開口する横断面コ字形の施錠機構連結補強材１４等を有し、上端部に設けられた吊り座が、固定側部部材のレール材に開閉方向に移動自在に吊り下げられている。
尚、符号１５は戸本体１の戸先側端面に着脱自在に設けられた戸当たり部材を示している。
【００１２】
戸本体１の戸先側内部に取付けられる錠箱２は、室内側内箱２１と室外側外箱２２の互いの開口側を重合して連結されて内部に所定空間を形成した、戸先側端部が開放する扁平縦長箱状に形成され、錠箱２の室外側内箱２２の戸先側端部には室内側に突出する嵌入突片２２３が形成され、戸尻側には、室内側に突出するストッパー突片２０が形成されている。そして、戸尻側端部が施錠機構連結補強材１４に形成された錠箱嵌合孔１４１に嵌合し、戸先側端部が前補強材１３に嵌合した状態で、上下端部に設けられた錠箱上下連結座２２１、２２２を介して、前補強材１３に連結されている。
【００１３】
そして、錠箱２の内部には施錠機構３が組み込まれている。
施錠機構３は、施錠操作機構４の操作に伴って回動する駆動用クランク部材５と、駆動用クランク部材５の回動運動を上下運動に変換する作動変換部材６を有し、作動変換部材６は、錠箱２内で昇降自在に保持されると共に施錠杆７が連結される昇降部材６０と、駆動用クランク部材５に下端部が回動自在に連結され、昇降部材６０に上端部が回動自在に連結される昇降用リンク部材５０と、下端が駆動用クランク部材５と昇降用リンク部材５０の連結部分に回動自在に連結され、上端部が錠箱２に回動自在に保持された付勢部材８より構成されている。
【００１４】
駆動用クランク部材５は、室内側内箱２１と室外側外箱２２に形成された回動保持孔に、室内側端部と室外側端部が回動自在に保持され、中心部に施錠操作機構４の一部が嵌入係合する操作用係合孔５１１を有する回動軸５１と、回動軸５１の周端面の一部から、半径方向で外方にくの字形に突出する駆動腕５２より構成されている。
【００１５】
昇降部材６０は、前記昇降用リンク部材５０の上端部が戸尻側端部の上端に回動自在に連結される側壁６１と、施錠杆７が連結される側壁６１の前端に連設された施錠杆連結部６２と、施錠杆連結部６２の室内側端部で戸尻側に突出する室内側基板６３より、戸尻側が開口する横断面略横向きＬ字形で、錠箱２内に内接する厚みを有して形成されている。
そして、側壁６１の施錠杆連結部６２側端部に上下方向に所定長さの嵌合孔６４が形成され、嵌合孔６４の戸尻側に付勢部材８の逃がし用抜き穴６５が形成され、錠箱２の室外側内箱２２の戸先側端部に室内側に突出して形成された嵌入突片２２３が嵌合孔６４に嵌入して、昇降部材６０は、錠箱２内で室内外側及び戸先側、戸尻側への移動は阻止され、上下方向で昇降可能に錠箱２内に保持されている。
【００１６】
付勢部材８は、駆動用クランク部材５の駆動腕５２の先端部と回動自在に連結される下部連結座８１と下部連結座８１に下端部が固定されたバネ支持棒８２と、バネ支持棒８２の上部が挿通し錠箱２の上部内で回動自在に保持された上部連結材８３と、バネ支持棒８２に外挿し、下部連結座８１と上部連結材８３間に配設された押しバネ８４より構成され、押しバネ８４は、上部連結材９３と下部連結座８１間の距離が常に広がる方向に付勢力を付与している。
【００１７】
施錠杆７は、戸本体１の上端面から上方に突出し、固定側部材に形成された施錠孔（図示せず。）に係脱自在で、戸本体１の上端に形成された上端支持部材７１に上下動自在に保持される上部施錠杆７２と、上部施錠杆７２の下端部が上端部に連結され、錠箱２の室外側外箱２２の戸先側端部の室外側に位置する上部施錠杆連結部７３と、上部施錠杆連結部７３の戸先側の端部から室内側に突出し、前記 作動変換部材６の戸先側基板６２に連結される作動変換部材連結部７４より横断面Ｌ字形に形成された下部施錠杆７５より構成されている。
【００１８】
下部施錠杆７５は、前補強材１３に取付けられた上部昇降保持部材７６と下部昇降保持部材７７を貫通して昇降自在で、少なくとも作動変換部材６が連結される箇所では、開閉方向の所定範囲で作動変換部材６と共に移動可能に保持されている。
施錠操作機構４は、駆動用クランク部材５を回動させる錠付きの錠機構４０を室外側に備え、駆動用クランク部材５を回動させ、錠機構４０と連動するハンドル４１を室内側に備えている。
【００１９】
本発明は上記の如く構成され、図4（図１）に示す施錠状態において、昇降用リンク部材５０（駆動腕５２）と付勢部材８（下部連結座８１）の連結部は、駆動用クランク部材５の回動中心と、付勢部材８（上部連結材８３）と錠箱２の連結部分を結ぶ線上の戸尻側に位置し、駆動用クランク部材５の駆動腕５２は、錠箱２に設けられたストッパー突片２０に当接して時計廻りの方向への回動は阻止されているが、付勢部材８の押しバネ８４は、上部連結材８３と下部連結座８１の距離を広げる方向に付勢しているので、駆動用クランク部材５は時計廻りの方向に回動力を付勢された状態で停止するから、不用意に反時計廻りに回動する事はなく施錠状態が確実に維持される。
【００２０】
そして、図４に示す施錠状態から、室内側あるいは室外側から、施錠操作機構４を操作して、駆動用クランク部材５を図４で反時計廻り（開錠方向）に押しバネ８４の弾発力に抗して回動させると、駆動用クランク部材５の駆動腕５２は昇降用リンク部材５０を介して昇降部材６０を一旦上方に押し上げて図５に示す状態となり、さらに反時計廻り（開錠方向）に駆動用クランク部材５を回動させると、昇降用リンク部材５０（駆動腕５２）と付勢部材８（下部連結座８１）の連結部は、駆動用クランク部材５の回動中心と、付勢部材８（上部連結材８３）と錠箱２の連結部分を結ぶ線上の戸先側に位置すると、押しバネ８４の弾発力によって駆動用クランク部材５は、さらに反時計廻り（開錠方向）の方向に回動し、昇降用リンク部材５０を介して昇降部材６０を引き下げて、昇降部材６０の嵌合孔６４の上端面が、錠箱２の嵌入突片２２３の上端に当接して停止し、図６に示す状態となる。
この状態で、付勢部材８の押しバネ８４は、上部連結材８３と下部連結座８１の距離を広げる方向に付勢しているので、駆動用クランク部材５は反時計廻りの方向に回動力が付勢された状態で停止し、不用意に時計廻りに回動する事はなく開錠状態が確実に維持される。
【００２１】
次に、施錠する場合、上記とは逆に、室内側あるいは室外側から施錠操作機構４を操作して、駆動用クランク部材５を、図６で時計廻りに回動させ、昇降用リンク部材５０（駆動腕５２）と付勢部材８（下部連結座８１）の連結部を、駆動用クランク部材５の回動中心と、付勢部材８（上部連結材８３）と錠箱２の連結部分を結ぶ線上の戸尻側に位置すると、押しバネ８４の弾発力によって駆動用クランク部材５は、さらに時計廻り（開錠方向）の方向に回動し、昇降用リンク部材５０を介して昇降部材６０を押し上げて、図５に示す状態から図６に示す施錠状態となる。
【図面の簡単な説明】
【００２２】
【図１】本発明の施錠状態を示す要部縦断面図
【図２】本発明の開錠操作の初期状態を示す要部縦縦断面図
【図３】本発明の開錠状態を示す要部縦縦断面図
【図４】図１のＡ部拡大図
【図５】図２のＢ部拡大図
【図６】図３のＣ部拡大図
【図７】図５のＤ−Ｄ線拡大断面図
【図８】図１のＥ−Ｅ線拡大断面図
【符号の説明】
【００２３】
１        戸本体
２        錠箱
２２３    嵌入突片
３        施錠機構
４        施錠操作機構
５        駆動用クランク部材
５０      昇降用リンク部材
５２      駆動腕
６        作動変換部材
６０      昇降部材
６４      嵌合孔
７        施錠杆
【図１】
2009275343.tif 000003
【図２】
2009275343.tif 000004
【図３】
2009275343.tif 000005
【図４】
2009275343.tif 000006
【図５】
2009275343.tif 000007
【図６】
2009275343.tif 000008
【図７】
2009275343.tif 000009
【図８】
2009275343.tif 000010